【事件の表示】
　平成１０年特許願第１１１１２７号「ファクシミリ装置およびその制御方法」拒絶査定に対する審判事件［平成１１年１１月　５日出願公開、特開平１１−３０８３８３］について、次のとおり審決する。
【結　論】
　本件審判の請求は、成り立たない。
【理　由】
１．手続の経緯等
　本願は、平成１０年４月２１日の出願であって、平成１４年７月２６日付けの手続補正書によって補正された明細書及び図面の記載から、本願の請求項２に係る発明（以下、本願発明という。）は、特許請求の範囲の請求項２に記載された事項により特定される次のとおりのものである。
　
「外部の情報処理装置と接続可能で、該情報処理装置にインストールされるアプリケーションソフトウエアによって制御可能なファクシミリ装置であって、
　当該ファクシミリ装置に設定すべき仕向国の回線規格の設定情報を、該情報処理装置での該アプリケーションソフトウエアの予め定める動作時に、該情報処理装置から受信する受信手段と、
　該受信手段によって受信される仕向国の回線規格の設定情報を、当該ファクシミリ装置に設定する設定手段とを含むことを特徴とするファクシミリ装置。」
　
２．引用例
　これに対して、原審の拒絶理由で引用された特開平８−２７４９３０号公報（以下、引用例という。）には、図面とともに次の記載がなされている。　
（１）「【特許請求の範囲】
【請求項１】コンピュータシステムを介して該コンピュータシステムに接続されているファクシミリ装置の機能を選択設定するプログラムを、コンピュータシステムへインストールする際または該インストールの前後に、前記ファクシミリ装置に、該ファクシミリ装置の機能データを送信させるコマンドを送信し、
該コマンドに応答して前記ファクシミリ装置から送信された機能データを前記コンピュータシステムに記憶させ、
前記プログラムの機能により前記コンピュータシステムを介して前記ファクシミリ装置の機能を選択設定する際に、前記コンピュータシステムの画面に前記機能データをメニューとして表示させることを特徴とするファクシミリ機能表示方法。
（中略）
【請求項５】通信回線以外に外部機器と接続され、該外部機器との間で信号を入出力する入出力部を備えたファクシミリ装置であって、
前記入出力部からの入力信号が機能データの送信を要求するコマンドであるか否かを判定するコマンド判定手段と、
前記コマンド判定手段にて、機能データの送信を要求するコマンドが入力されたと判定された場合には、ファクシミリ装置自身が備えた機能を前記入出力部から、機能データとして前記外部機器へ送信する機能データ送信手段と、
を備えたことを特徴とするファクシミリ装置。」
　
（２）「【０００２】
【従来の技術】ファクシミリ装置は、その改良によって種々の機能が付け加えられた種々の機種が存在している。ファクシミリ装置の使用に際しては、回線や用途に応じてそれらの機能の設定が必要となる。」
　
（３）「【００２６】更に、後述するごとく、プリンタ機能付ファクシミリ装置２は、パーソナルコンピュータやワードプロセッサ等からの機能データ送信要求コマンドを受信すると、そのコマンドに応えてパーソナルコンピュータやワードプロセッサ等へファクシミリ装置としての機能データを送信するとともに、パーソナルコンピュータやワードプロセッサ等からの機能設定データを受けて、そのファクシミリ装置としての機能の設定を行う。
（中略）
【００３６】一方、プリンタ部７４は、ゲートアレイ７６を介してファックス部７２から送られてきたファクシミリデータに応じて記録部２６を駆動制御することにより、記録紙２４にファクシミリ画像を形成（換言すれば、ファクシミリデータを記録）するためのものであり、ファックス部７２と同様、ＣＰＵ９０，ＲＯＭ９２，ＲＡＭ９４を中心とする周知のマイクロコンピュータとして構成されている。また、プリンタ部７４には、プリントデータ入力部としてのパソコン用インターフェース（例えばセントロニクスインターフェース）９６が備えられており、ＣＰＵ９０は、このパソコン用インターフェース９６に、外部のコンピュータシステムとしてのパソコン９８からＰＣデータがケーブル９６ａを介して入力されると、このＰＣデータに応じて記録部２６を駆動制御し、記録紙２４にパソコン９８側で作成された作成画像を形成（換言すれば、ＰＣデータを記録）する。またパソコン９８からの機能データ送信要求コマンドあるいは機能設定データを受信するとそのコマンドやデータをゲートアレイ７６を介してファックス部７２側に送信し、ファックス部７２側からパソコン９８向けの機能データを受信するとそれをパソコン９８側に送信するという、仲介処理も行っている。」
　
（４）「【００３８】プリンタ機能付ファクシミリ装置２のプリンタ部７４に接続されるパソコン９８は、通常のコンピュータとして構成され、ＣＰＵ１０２，ＲＯＭ１０４，ＲＡＭ１０６，液晶ディスプレイ（ＬＣＤ）１０８，フロッピーディスクドライブ（ＦＤＤ）１１０，ハードディスク装置（ＨＤ）１１２，キー入力部１１４，入出力インターフェース１１６、マウス入力装置１１７およびバス１１８を備えている。入出力インターフェース１１６はプリンタ部７４のパソコン用インターフェース９６と接続され、パソコン９８は入出力インターフェース１１６を介して、プリンタ機能付ファクシミリ装置２とデータを送受信可能とされている。
【００３９】次に、パソコン９８において実行される処理について図４以降のフローチャートに基づいて説明する。まず、図４にファクシミリ処理プログラムをインストールするためのフローチャートを示す。このインストール処理は、例えば、これからインストールしようとするファクシミリ処理プログラムと同じフロッピーディスクに実行プログラムとして格納されており、パソコン９８のハードディスク１１２に前記ファクシミリ処理プログラムをインストールする場合に、パソコン９８にロードして起動されるプログラムである。
　
（５）「【００５２】例えば、ファクシミリ処理が選択されれば、後述するファクシミリ処理プログラムがロードされて起動され（Ｓ４０３０）、パソコン９８がファックス部７２に対する機能設定等の処理装置としての働きをする。また、ワードプロセッサのプログラムを選べば、パソコン９８はワードプロセッサプログラムをロードして起動して（Ｓ４０４０）、ワードプロセッサとして働き、また表計算プログラムを選べば表計算プログラムをロードして起動して（Ｓ４０５０）、表計算処理を開始する。また、終了を選択すれば起動メニュー処理を終了する。
【００５３】ファクシミリ処理が選択された場合に、起動されるファクシミリ処理プログラムについて、図１０のフローチャートに基づいて説明する。まず処理が開始されると、既に上述したステップＳ１０３０にてハードディスク１１２に記憶したファックス部７２の機能データがＲＡＭ１０６の作業領域に読み込まれる（Ｓ５０１０）。
【００５４】次に、処理メニューが表示される（Ｓ５０２０）。ここで、処理メニューは、「リモートセットアップ」、「ファクシミリ送信」、「ファクシミリ受信」、「ファイル表示・記録」および「終了」のメニューが表示され選択待ちとなる（Ｓ５０３０）。
【００５５】ここで、「リモートセットアップ」が選択されれば、後述するリモートセットアップ処理が実行される（Ｓ５０４０）。「ファクシミリ送信」が選択されれば、プリンタ機能付ファクシミリ装置２へパソコン９８側から画像データを送信することにより、その画像データをプリンタ機能付ファクシミリ装置２を介して他のファクシミリ装置にファクシミリ送信する処理が行われる。すなわち、ステップＳ５０５０にて、ハードディスク１１２に格納されている画像データをプリンタ部７４側に送信することにより、プリンタ部７４側では図６のステップＳ２０９０にて肯定判定されて、ステップＳ２１００にてファックス部７２側に画像データを送信する。ファックス部７２側では、ステップＳ３０７０にて肯定判定されて、その画像データを用いて、画像データと共に送信されて来た相手側の電話番号へその画像データをファクシミリデータとして送信する（Ｓ３０８０）。」
　
（６）「【００５８】ステップＳ５０３０にて、「終了」が選択されれば、ファクシミリ処理を終了する。図１１のフローチャートにてリモートセットアップ処理について説明する。まず、既にステップＳ５０１０にてＲＡＭ１０６の作業領域に読み込まれているファックス部７２のファクシミリとしての機能データに基づいて、ファクシミリ設定メニューがＬＣＤ１０８に表示される（Ｓ６０１０）。この表示状態の例を図１２（ａ）に示す。この内の領域Ｄ１，Ｄ２は、ファックス部７２の機能データに基づいて表示される。領域Ｄ１は、設定の全項目を表し、プリンタ機能付ファクシミリ装置２が備えている機能がすべて記載されている。領域Ｄ２はプリンタ機能付ファクシミリ装置２の設定状態を表すが、最初のファクシミリ設定メニュー表示では、ファクシミリ処理プログラムが有するデフォルトの値が記載される。勿論、ステップＳ１０１０の処理にて、ファックス部７２側からその機能ばかりでなく、機能設定内容まで送信させれば、最初のファクシミリ設定メニュー表示から、領域Ｄ２には、現在のファックス部７２の設定状態を表示しても良い。
（中略）
【００６１】　画面上のボタンＢ２をマウスカーソルで選択すれば、設定ダウンロード処理（Ｓ６０５０）が実行される。設定ダウンロード処理は、図１２（ａ）あるいは（ｂ）のごとく設定した内容が、機能設定データとして、図８に示すごとく、プリンタ機能付ファクシミリ装置２側へ送信される処理である。この機能設定データの送信により、プリンタ部７４は図６のステップＳ２０９０にて肯定判定されて、ステップＳ２１００にてファックス部７２側にその機能設定データを送信する。ファックス部７２側では、図７のステップＳ３０５０にて肯定判定されて、ステップＳ３０６０にてプリンタ部７４側から受信した機能設定データに従って、自身の機能を設定する。このようにして、ユーザーはパソコン９８の画面上で設定した内容を直ちにファックス部７２に反映させることができるので、極めて効率的に設定作業ができる。その画面内容も、接続されているプリンタ機能付ファクシミリ装置２のファックス部７２の機能内容を忠実に表しているので、混乱なく設定でき、間違った設定が防止される。」
　
　また、ＬＣＤにおけるファクシミリ設定メニューの説明図である図１２には、「ファクシミリ設定メニュー」として「１．トーン／パルス」が示されている。
　したがって、引用例には、次の発明が記載されているといえる。
　
「外部のパーソナルコンピュータに接続可能で、該パーソナルコンピュータにインストールされるファクシミリ処理プログラムによって制御可能なファクシミリ装置であって、
　当該ファクシミリ装置に設定すべきトーン／パルスの設定情報を、該パーソナルコンピュータで該ファクシミリ処理プログラムが起動され、処理メニューが表示され、リモートセットアップが選択され、設定ダウンロード処理が実行された時に、該パーソナルコンピュータから受信するパソコン用インターフェースと、
　該パソコン用インターフェースによって受信されるトーン／パルスの設定情報を、当該ファクシミリ装置に設定することを特徴とするファクシミリ装置。」
　
３．対比
　パーソナルコンピュータは情報処理装置と、ファクシミリ処理プログラムはアプリケーションソフトウエアと、パソコン用インターフェースは受信手段と、それぞれいうことができる。また、「該パーソナルコンピュータで該ファクシミリ処理プログラムが起動され、処理メニューが表示され、リモートセットアップが選択され、設定ダウンロード処理が実行された時」は、アプリケーションソフトウエアといえるファクシミリ処理プログラムの特定の動作時であり、この時に上記のとおりの処理がなされるように定められているので、予め定める動作時といえ、引用例に記載された発明は「該パソコン用インターフェースによって受信されるトーン／パルスの設定情報を、当該ファクシミリ装置に設定する」のであるから、そのための設定手段の機能を有することは明かである。
　したがって、本願発明と引用例に記載された発明は次の点で一致する。
　
「外部の情報処理装置と接続可能で、該情報処理装置にインストールされるアプリケーションソフトウエアによって制御可能なファクシミリ装置であって、
　当該ファクシミリ装置に設定すべき設定情報を、該情報処理装置での該アプリケーションソフトウエアの予め定める動作時に、該情報処理装置から受信する受信手段と、
　該受信手段によって受信される設定情報を、当該ファクシミリ装置に設定する設定手段とを含むことを特徴とするファクシミリ装置。」
　
　なお、このような点で一致することは、請求人が審判請求書の請求の理由の【本願発明が特許されるべき理由】の項で「そして、本願第１発明と引用文献１，２とを対比すると、両者は、外部の情報処理装置と接続可能で、該情報処理装置にインストールされるアプリケーションソフトウエアによって制御可能なファクシミリ装置である点で共通し、」と述べていること、原審の平成１４年７月２６日付け意見書で「(2)引用文献１（特開平８−２７４９３０号公報）には、（中略）また、第４８段落目には、パソコン側から受信する機能設定データに従って、ファクシミリ装置の機能を設定することが記載されている。さらに、第５８段落目および第５９段落目には、ファクシミリ装置の設定をメニュー形式で行う例が記載されている。
　第２段落目には、「回線や用途に応じてそれらの機能の設定が必要となる」と記載されているけれども、図１２の設定画面は、我国での回線規格に従って設定している状態を示し、仕向国が異なることがあることは全く示唆されていない。」と述べていることに反するものではないといえる。
　
　また、次の点で相違する
　
　相違点
　本願発明では、ファクシミリ装置に設定すべき設定情報が仕向国の回線規格の設定情報であるのに対して、引用例に記載された発明では、トーン／パルスの設定情報である点。
　
４．相違点に対する判断
　どのようなダイヤル信号を回線に送出するかは回線規格に応じて定まるものであり、国によって、トーンまたはパルスのパラメータの設定が異なること、それに応じてファクシミリ装置の設定を行うことは、当業者に周知のことである。
　
　周知例１　特開昭６３−３９２４４号公報
「本発明の目的は上述従来例の欠点を除去するとともに、共通の装置により、各国別の規格を満足するため、各種パラメータの個別設定を簡単な操作により実行し得る通信装置の提供を目的としている。」
（第１ページ右下欄第２−６行）
及び
「まずトーンダイヤル方式の場合にはトーン信号の送出時間が国毎に異なる。又、トーン信号間のポーズ時間の最小値が各国毎に異なる。又、ダイヤルパルス方式においては、ダイヤルパルスの速度やポーズ時間が異なり、更にダイヤル設定値に対するパルスの数の設定が各国毎に異なる。」
（第２ページ左上欄第５−１０行）
等の記載がされている。
　
　周知例２　特開平４−１８３１５２号公報
「ところで、ファクシミリ装置は、この装置を販売する国の通信回線に適したダイヤル時のメーク率、トーンレベル（高群周波数、低群周波数）、トーン時間、ポーズ時間などのダイヤル信号特性を設定している。
（中略）
　本発明は、このような点に鑑みてなされたもので、指定された国または指定された時間の国の通信回線に適した回線特性を自動的に設定し、誤ダイヤルやエラーなどの発生を防止することができる情報通信機器を提供することを目的とするものである。」
（第２ページ左上欄第２−１７行）
等の記載がされている。
　
　したがって、引用例に記載された発明において、トーン／パルスの設定情報をトーンかパルスの選択を行うだけでなく、その国の回線規格に応じたトーンまたはパルスを選択できるようにすること、すなわち、仕向国の回線規格の設定情報とすることは、当業者が容易になしえることである。
　
５．むすび
　上述のように、本願の請求項２に係る発明は、上記引用例に記載された発明に基づいて当業者が容易に発明をすることができたものであるから、特許法第２９条第２項の規定により特許を受けることができない。
　よって、結論のとおり審決する。